(57)【要約】【課題】上面が球転動面となった棚板部を有する遊技機において、入賞確率がそれぞれ異なる多種類の球経路を付与することにより、遊技の多様性を増すことである。【解決手段】遊技球Ｂが転動可能な第１棚板単体装置（第１棚板部）Ａ1 と、前記第１棚板単体装置Ａ1 の奥方に前後方向に移動可能に配置された第２棚板単体装置（第２棚板部）Ａ2 と、第１棚板単体装置Ａ1 の下方に配置された始動入賞口４６とを備えた遊技機において、前記第１棚板単体装置Ａ1 の第１球転動面１に、前記始動入賞口４６に遊技球Ｂを誘導する球誘導凹部２が、後端から前端に向けて徐々に深くなるように形成され、前記第２棚板単体装置Ａ2 が前後方向に移動することにより、前記第１棚板単体装置Ａ1 に形成された球誘導凹部２の奥行幅を変更可能に構成する。【選択図】        図６
2004201861.tif 000002
【特許請求の範囲】
【請求項１】
遊技球が転動可能な第１棚板部と、前記第１棚板部の奥方に前後方向に移動可能に配置された第２棚板部と、前記第１棚板部の下方に配置された入賞口とを備えた遊技機において、
前記第１棚板部の球転動面に、前記入賞口に遊技球を誘導する球誘導凹部が、後端から前端に向けて徐々に深くなるように形成され、
前記第２棚板部が前後方向に移動することにより、前記第１棚板部に形成された球誘導凹部の奥行幅を変更可能に構成したことを特徴とする遊技機。
【発明の詳細な説明】
【０００１】
【発明の属する技術分野】
本発明は、遊技球が転動する固定された棚板部と、この固定棚板部に対して前後動する可動棚板部とを有する遊技機に関するものである。
【０００２】
【従来の技術】
遊技球が転動する棚板部の下方に入賞口が配置された構成のパチンコ機において、前記棚板部を転動する遊技球の転動経路を遊技者に有利なように変更させて、前記入賞口に対する入賞確率を高める提案は、種々なされている。例えば、棚板部の上面の球転動面に対して可動部材が出没し、この可動部材に案内されて球が転動することにより、前記入賞確率を高めるものが知られている（例えば、特許文献１）。
【０００３】
【特許文献１】
特開２００１−２５２４０６号公報
【０００４】
しかし、上記構成においては、棚板部の上面の球転動面を転動する遊技球の可動部材に対する経路は、可動部材に案内されて入賞口に向かう遊技者に有利な経路と、可動部材に案内されない一般の経路との単に２種類に大別されて、球経路に多様性を持たせるには十分とは言えなかった。
【０００５】
【発明が解決しようとする課題】
本発明の課題は、上面が球転動面となった棚板部を有する遊技機において、入賞確率がそれぞれ異なる多種類の球経路を付与することにより、遊技の多様性を増すことである。
【０００６】
【課題を解決するための手段】
上記課題を解決するための第１解決手段（請求項１の発明）は、遊技球が転動可能な第１棚板部と、前記第１棚板部の奥方に前後方向に移動可能に配置された第２棚板部と、前記第１棚板部の下方に配置された入賞口とを備えた遊技機において、前記第１棚板部の球転動面に、前記入賞口に遊技球を誘導する球誘導凹部が、後端から前端に向けて徐々に深くなるように形成され、前記第２棚板部が前後方向に移動することにより、前記第１棚板部に形成された球誘導凹部の奥行幅を変更可能に構成したことを特徴としている。
【０００７】
第１解決手段によれば、第２棚板部が前後動することにより、第１棚板部の球転動面に形成された球誘導凹部の奥行幅が変更されて、その深さが変化されるため、球誘導凹部内における球経路が変化して、その下方の入賞口への入賞率（誘導確率）を変化させられる。
【０００８】
また、第２解決手段は、第１解決手段において、前記球誘導凹部は、第１棚板部の前端から後端に向けて横幅が徐々に広くなる略扇形に形成されていることを特徴としている。
【０００９】
第２解決手段によれば、球誘導凹部の深さに加えて、その横幅も変化するために、入賞口への入賞確率を一層大きく変化させられる。
【００１０】
また、第３解決手段は、第１又は第２の解決手段において、前記第２棚板部の球転動面には、遊技球が落下する球落下口が形成され、前記球落下口に連通されて、前記球落下口に落下した球を遊技盤面上に排出する球排出口が、前記第１棚板部の球転動面前端よりも下方で、かつ前記入賞口よりも上方の位置に開口させたことを特徴としている。
【００１１】
第３解決手段によれば、第２棚板部には、第１棚板部から落下する場合よりも入賞口への入賞確率の高い球落下口が設けられているために、入賞口に対する入賞確率の変化を更に大きくできる。
【００１２】
また、第４解決手段は、第１ないし第３のいずれかの解決手段において、前記第１棚板部の側方に、遊技球が転動可能な第３棚板部が配置され、前記第２棚板部が前方に進出した時に、前記第３棚板部から前記第２棚板部に遊技球が移送可能なように、前記第２及び第３の各棚板部を近接させたことを特徴としている。
【００１３】
第４解決手段によれば、前後動する第２棚板部と、固定配置された第３棚板部との相対位置の変化によって、第３棚板部から第２棚板部に遊技球が移送されて、第２棚板部上において遊技球が転動する可能性（確率）が変化される。これにより、入賞確率の変化をより大きくできる。
【００１４】
また、第５解決手段は、第１ないし第４のいずれかの解決手段において、前記第２棚板部の前後方向への移動動作態様は、遊技機の遊技状態に応じて可変であることを特徴としている。
【００１５】
第５解決手段によれば、第２棚板部の移動動作態様を遊技機の遊技状態に連動させてあるため、遊技者に有利な遊技状態の時に第２棚板部を前進させる等すると、遊技者に与えられる利益率を大きく変化させられる。
【００１６】
また、第６解決手段は、第１ないし第５のいずれかの解決手段において、前記入賞口を可変入賞口で構成し、前記第２棚板部の前後方向への移動動作態様を前記可変入賞口の動作と連動するように構成したことを特徴としている。
【００１７】
第６解決手段によれば、入賞口が可変入賞口になっている分だけ、第５解決手段よりも、遊技者に与えられる利益率を更に大きく変化させられる。
【００１８】
【発明の実施の形態】
以下、実施形態を挙げて本発明を更に詳細に説明する。図１は、本発明に係る棚板装置Ａが組み込まれたパチンコ機の遊技面の正面図であり、図２は、図１の棚板装置Ａの部分の拡大図であり、図３及び図４は、それぞれ第２棚板単体装置Ａ2 が後退端及び前進端に達した状態の図２のＸ−Ｘ線断面図であり、図５は、棚板装置Ａの概略平面図である。最初に、パチンコ機の遊技面の概略構成について説明し、その後に、本発明に係る棚板装置Ａについて詳細に説明する。
【００１９】
図１において、遊技盤４１には、外側及び内側の各球案内レール４２，４３が取付けられて、各球案内レール４２，４３によって囲まれる部分が遊技領域４４となっている。外側及び内側の各球案内レール４２，４３が内外で重なる部分は、球発射通路４５を形成していて、球発射装置（図示せず）から発射された球は、球発射通路４５を通って、前記遊技領域４４に放たれる。遊技領域４４には、多数の釘が適宜配置され、遊技領域４４に放たれた球は、これらの釘により流れを変化させられ、或いは所定方向に誘導されながら、遊技領域４４の下方に向かって流れる。
【００２０】
遊技領域４４の略中央部には、図柄表示装置Ｄが配置され、その直下には、本発明に係る棚板装置Ａが配置され、この棚板装置Ａの直下には、前記図柄表示装置Ｄの作動を開始させる始動入賞口４６が配置されている。この図柄表示装置Ｄの手前側の空間部４７（図３及び図４参照）の下方に、本発明に係る棚板装置Ａが配設されている。また、図柄表示装置Ｄの左側方には、前記始動入賞口４６への入賞によって開口する可変入賞口４８が配置され、前記始動入賞口４６の直下には、前記可変入賞口４８への入賞により作動を開始して、複数の図柄が特定の配置態様（例えば、「７，７，７」）で停止した場合に開口する特定入賞口４９が配置されている。この特定入賞口４９の開口状態で入賞すると、「大当り遊技」の権利が発生する。
【００２１】
また、図柄表示装置Ｄの右側方には、第３種始動口５１が配置され、「大当り遊技」の権利の発生中において、前記第３種始動口５１に入賞すると、そのほぼ直下の大入賞口５２の蓋体５２ａが所定時間（例えば、３０秒）、又は所定個数（例えば、１０個）の入賞があるまで、前記大入賞口５２は開放された状態を維持する。そして、前記蓋体５２ａの起立により大入賞口５２が閉じられた後においても、該大入賞口５２を通って受け止められた球（入賞球）が内部の特別入賞口（図示せず）を通過すると、再度蓋体５２ａが手前側に倒れることにより前記大入賞口５２が開放されて、最高１６回（ラウンド）だけ前記「大当り遊技」が繰り返される。
【００２２】
また、始動入賞口４６の斜左下方には、一般入賞口５３が配置され、図柄表示装置Ｄの上下の各端部の両側には、それぞれ風車５４が配置されている。なお、５５は、いずれの入賞口にも入賞しなかった遊技球（アウト球）を回収するアウト口を示す。
【００２３】
次に、図２ないし図８を参照にして、本発明に係る棚板装置Ａについて説明する。図６は、第２棚板単体装置Ａ2 の後退端位置に遊技球の典型的な転動状態を示す斜視図であり、図７は、第２棚板単体装置Ａ2 の前進端位置における同様の状態の斜視図であり、図８は、第２棚板単体装置Ａ2 の球落下口１３に落下した球の経路を主体に示す斜視図である。本発明に係る棚板装置Ａは、前記図柄表示装置Ｄの手前側の空間部４７の下方に配置されて、その全体が遊技盤４１の前面の遊技面４０（図３参照）に対して奥方に配設されており、遊技者を基準にして手前側に固定配置される第１棚板単体装置Ａ1 と、この第１棚板単体装置Ａ1 の上面に前後方向Ｐに往復移動可能に配置された第２棚板単体装置Ａ2 とで構成される。
【００２４】
第１棚板単体装置Ａ1 を構成する固定棚板１０は、図２、図３及び図６に示されているように、その上面に左右両端部から中央部に向けて低くなるように僅かにわん曲した状態で傾斜した第１球転動面１を有しており、この第１球転動面１の中央部に球誘導凹部２が形成されている。この球誘導凹部２の深さは、後端（奥端）から前端に向けて徐々に深くなっていると共に、その幅は、前端から後端（奥端）に向けて広くなっており、その全体形状は、略扇形となっている。即ち、遊技球Ｂを前方に転動させるために、球誘導凹部２は、その前端側が低くなるように僅かに傾斜していると共に、第１球転動面１における前記球誘導凹部２を除く残りの部分に関しても、その前端が僅かに低くなるように傾斜している。
【００２５】
また、第２棚板単体装置Ａ2 は、図２、図３、図４及び図８に示されているように、固定棚板１０の上面を前後方向Ｐに往復直線移動する可動棚板３と、この可動棚板３を前後動させる棚板駆動機構Ｎとで構成される。可動棚板３の下面は、前記固定棚板１０の上面の第１球転動面１に対応した形状になっていると共に、その上面は、段差状に形成されて、段差面４よりも前面の第２球転動面５は、中央部と左右両端部とが高くて、それらの間が低くなってわん曲した「波形状」となっている。なお、可動棚板３の前面６は、ほぼ垂直面となっている。可動棚板３を前後方向に略二分した場合において、その後方の略半分は、前記図柄表示装置Ｄの直下に形成された嵌合孔７に前後方向Ｐにスライド可能に嵌合されている。可動棚板３の背面における左右方向の中央部に取付けられたブラケット８と、モータＭの駆動軸９に取付けたクランク円板１１の偏心位置（偏心量を「ｅ」とする）とは、クランクロッド１２で連結されている。このため、モータＭが連続回転すると仮定すると、可動棚板３は、前記偏心量（ｅ）の２倍の（２ｅ）のストローク（Ｓ）でもって固定棚板１０の第１球転動面１の上を前後方向Ｐに往復直線運動（前後移動運動）を行う。
【００２６】
また、可動棚板３の第２球転動面５の左右方向の中央部の最も高い部分には、この部分を左右方向に転動する遊技球Ｂが中央部に達した場合に落下させる球落下口１３が形成されている。可動棚板３には、図３及び図４に示されるように、前記球落下口１３に連通する垂直連通孔１４と、この下方に連通していて、斜後方に向けて形成された傾斜連通孔１５とが形成されている。一方、固定棚板１０の前端面１６には、前記球落下口１３に落下した球を遊技領域４４に排出させる球排出口１７が形成され、固定棚板１０の内部には、前端が前記球排出口１７となった水平連通孔１８が僅かに前端が低くなった状態で前後方向Ｐに沿って形成されて、その後端は、固定棚板１０の上面に開口している。そして、第２棚板単体装置Ａ2 が前進端に達した位置（図４で示される位置）において、球落下口１３と球排出口１７とは、前記垂直連通孔１４、傾斜連通孔１５及び水平連通孔１８を介して連通され、球落下口１３から落下して、その下端部に滞留していた遊技球Ｂは、第２棚板単体装置Ａ2 が前進端に達することにより、水平連通孔１８の側に移動して、前記球排出口１７から遊技面４０上に排出される。なお、固定棚板１０に形成する水平連通孔１８を、図３で２点鎖線２０で示される位置まで形成すると、可動棚板３の球落下口１３に落下した遊技球Ｂは、直ちに各連通孔１４，１５，１８を通って固定棚板１０の球排出口１７から排出される。
【００２７】
また、図２、図３及び図６に示されるように、固定棚板１０の左右両端部の上方から、固定棚板１０の前端面１６の前方に至る部分には、固定配置された左右一対の第３棚板（固定棚板）Ａ3 が配設されている。各第３棚板（固定棚板）Ａ3 は、左右方向Ｑに対しては、第１棚板単体装置Ａ1 の固定棚板１０の左右方向Ｑの中央部の側が僅かに低く、しかも前後方向Ｐに対しては後側（奥側）が僅かに低くなるように固定配置されている。また、各第３棚板（固定棚板）Ａ3 の高さは、図８に示されるように、第２棚板単体装置Ａ2 が前進端位置に達した状態で、各第３棚板（固定棚板）Ａ3 上の遊技球Ｂが可動棚板３にスムーズに移送（転移）可能なように、前記可動棚板３の上面の第２球転動面５の左右両端部の高さとほぼ一致している。なお、各図において、２１は、図柄表示装置Ｄが格納されている筐体２２の両側壁部を示し、２３は、遊技盤４１の前面に所定間隔をおいて配置されたガラス板を示す。
【００２８】
次に、上記構成の棚板装置Ａの作用について説明する。この棚板装置Ａは、遊技中において常時作動させてもよいし、遊技中において、例えば「確率変動中」等の遊技者に有利な「特定遊技状態」に達した場合にのみ作動させてもよい。後者の「特定遊技状態」に達した場合にのみ作動させる場合には、後述のように、遊技者に対する利益率が一層高まる利点がある。
【００２９】
まず、図３及び図６に示されるように、第２棚板単体装置Ａ2 の可動棚板３が後退端に位置している状態では、第１棚板単体装置Ａ1 の第１球転動面１の奥行幅（Ｗ）は広くなっていて、第１球転動面１の左右両端の第３棚板Ａ3 から落下したり、或いは直接に第１球転動面１に落下した遊技球Ｂは、左右に大きく転動して、その勢いを消失した位置から更に逆方向に転動することを繰り返して、中央の球誘導凹部２以外の部分から前方の遊技領域４４に落下放出される。この遊技球Ｂは、中央の球誘導凹部２の直下の始動入賞口４６に入賞する確率は殆どない。一方、第１球転動面１上で左右方向に転動している遊技球Ｂの勢いがなくなって、中央の球誘導凹部２に入り込んだ場合には、この球誘導凹部２において左右に小さな揺動幅で転動しながら前方に転動して、前方の遊技領域４４に落下放出される。この場合には、球誘導凹部２の左右方向Ｑの中央から落下放出される遊技球Ｂは、直下の始動入賞口４６に入賞する確率は高いが、球誘導凹部２内の他の位置から落下放出される遊技球Ｂが始動入賞口４６に入賞する確率は低い。
【００３０】
そして、後退端に位置していた可動棚板３が前進端に向けて移動するにつれて前記第１球転動面１の球誘導凹部２の奥行幅（Ｗ）及び横幅（左右幅）の双方が徐々に狭くなって、球誘導凹部２の深さが変化する。このことは、球誘導凹部２内に入った遊技球Ｂがその外部に出にくかったり、或いは球誘導凹部２内において左右に転動する遊技球Ｂの揺動幅が小さくなることを意味し、球誘導凹部２内において左右に転動した後に前方の遊技領域４４に落下したり、或いは後方又は斜後方から直進して前方の遊技領域４４に落下される遊技球Ｂが直下の始動入賞口４６に入賞する確率が高まることになる。逆に、図７に示されるように、前進端に位置していた可動棚板３が後退端に向けて移動する場合には、球誘導凹部２の奥行幅（Ｗ）が徐々に広くなるために、始動入賞口４６に入賞する確率が徐々に低下することになる。
【００３１】
また、図８に示されるように、第２棚板単体装置Ａ2 の可動棚板３が前進端又はこれに近い位置に達した状態において、第３棚板Ａ3 上において奥行方向に向かう遊技球Ｂが存在する場合には、この遊技球Ｂは、第３棚板Ａ3 から可動棚板３の第２球転動面５に移送されて、この第２球転動面５を左右方向Ｑに転動する際に、中央部の球落下口１３の部分に達して、この球落下口１３に落下した遊技球Ｂは、上述したように、各連通孔１４，１５，１８を通って、始動入賞口４６に最も近い固定棚板１０の球排出口１７から遊技領域４４に排出されるため、始動入賞口４６に入賞される確率が極めて大きくなる。なお、第３棚板Ａ3 から可動棚板３の第２球転動面５に移送された遊技球Ｂのうち、球落下口１３に落下しないものは、第２球転動面５の途中から、その前方の固定棚板１０の第１球転動面１に落下して、その後は、上述したように転動することとなる。
【００３２】
このように、第１棚板単体装置Ａ1 の固定棚板１０に対して第２棚板単体装置Ａ2 の可動棚板３が前後動して、前記固定棚板１０の左右方向Ｑの中央部に形成された球誘導凹部２の奥行幅（Ｗ）が変更されることにより、その直下の始動入賞口４６に対する入賞確率が刻々変化し、更に可動棚板３の球落下口１３に落下した遊技球Ｂが始動入賞口４６に入賞する確率は極めて高い。このように、第２棚板単体装置Ａ2 を構成する可動棚板３が固定棚板１０に対して前後動して、遊技者に利益の状態が断続的に出現するために、遊技の利益及び面白さが大幅に増大される。
【００３３】
そして、可動棚板３の前後動を「確率変動中」等の遊技者に有利な「特定遊技状態」と連動させると、遊技者の利益率が拡幅されて、遊技の面白さが倍増される。
【００３４】
また、上記実施形態では、第１球転動面１に形成する球誘導凹部２は、その前後方向Ｐの深さと、その左右方向の幅との双方を変化させてあるが、前後方向Ｐの深さのみ変化させることも可能である。また、棚板装置の下方に配置される入賞口を可変構造にして、入賞し易い状態に達した時点で、本発明に係る棚板装置を作動させると、遊技者の利益率が一層高まり、これによっても遊技者に対する利益率、及び遊技の面白さを倍増できる。
【００３５】
【発明の効果】
本発明は、遊技球が転動可能な第１棚板部と、前記第１棚板部の奥方に前後方向に移動可能に配置された第２棚板部と、前記第１棚板部の下方に配置された入賞口とを備えた遊技機において、記第１棚板部の球転動面に、前記入賞口に遊技球を誘導する球誘導凹部が、後端から前端に向けて徐々に深くなるように形成され、前記第２棚板部が前後方向に移動することにより、前記第１棚板部に形成された球誘導凹部の奥行幅を変更可能に構成してあるので、前記第２棚板部の前後方向の移動により、球経路が大きく変化して、その下方の入賞口への入賞率を変化させられる。
【図面の簡単な説明】
【図１】本発明に係る棚板装置Ａが組み込まれたパチンコ機の遊技面の正面図である。
【図２】図１の棚板装置Ａの部分の拡大図である。
【図３】第２棚板単体装置Ａ2 が後退端に達した状態の図２のＸ−Ｘ線断面図である。
【図４】第２棚板単体装置Ａ2 が前進端に達した状態の図２のＸ−Ｘ線断面図である。
【図５】棚板装置Ａの概略平面図である。
【図６】第２棚板単体装置Ａ2 の後退端位置に遊技球Ｂの典型的な転動状態を示す斜視図である。
【図７】第２棚板単体装置Ａ2 の前進端位置における同様の状態の斜視図である。
【図８】第２棚板単体装置Ａ2 の球落下口１３に落下した球の経路を主体に示す斜視図である。
【符号の説明】
Ａ：棚板装置
Ａ1 ：第１棚板単体装置（第１棚板部）
Ａ2 ：第２棚板単体装置（第２棚板部）
Ａ3 ：第３棚板（第３棚板部）
Ｎ：棚板駆動機構
Ｐ：遊技機の前後方向
Ｑ：遊技機の左右方向
Ｗ：球誘導凹部の奥行幅
１：第１球転動面
２：球誘導凹部
３：可動棚板
５：第２球転動面
１０：固定棚板
１３：球落下口
１７：球排出口
４６：始動入賞口（入賞口）
【図１】
2004201861.tif 000003
【図２】
2004201861.tif 000004
【図３】
2004201861.tif 000005
【図４】
2004201861.tif 000006
【図５】
2004201861.tif 000007
【図６】
2004201861.tif 000008
【図７】
2004201861.tif 000009
【図８】
2004201861.tif 000010